(57)【特許請求の範囲】
【請求項１】
基地局と複数の移動局との間で無線通信を行って、前記基地局でこれら複数の移動局の位置情報及び動態情報を収集する位置情報収集システムを利用して、前記基地局で前記複数の移動局のうちの所要の移動局に蓄積されたログデータを収集するログデータ収集システムであって、
前記基地局が、時分割された複数のタイムスロットからなる単位フレーム構成における前記各移動局の位置情報及び動態情報の収集に割り当てるタイムスロット数と、前記所要の移動局のログデータの収集に割り当てるタイムスロット数との割り当てを、前記複数の移動局の稼働情報に基づいて設定するスロット数割当設定手段を備え、
前記移動局が、前記基地局からログデータ送信要求を受けた場合、前記スロット数割当設定手段により割り当てられたログデータ用のタイムスロットのタイミングで、前記ログデータを前記基地局に送信するログデータ送信手段を備えていることを特徴とするログデータ収集システム。
【請求項２】
基地局と複数の移動局との間で無線通信を行って、前記基地局でこれら複数の移動局の位置情報及び動態情報を収集する位置情報収集システムを利用して、前記基地局で前記複数の移動局のうちの所要の移動局に蓄積されたログデータを収集するログデータ収集システムであって、
前記基地局が、前記所要の移動局のログデータを送信するための時分割されたタイムスロットを含み、前記各移動局の位置情報及び動態情報を送信するための時分割されたタイムスロットを含まないフレーム構成で送信を行う第１の送信時間と、
前記各移動局の位置情報及び動態情報を送信するための時分割されたタイムスロットを含み、前記所要の移動局のログデータを送信するための時分割されたタイムスロットを含まないフレーム構成で送信を行う第２の送信時間とを繰り返すフレーム構成における、前記第1の送信時間と前記第２の送信時間との割り当てを、前記複数の移動局の稼働情報に基づいて設定する送信時間設定手段を備え、
前記移動局が、前記基地局からログデータ送信要求を受けた場合、前記送信時間設定手段により設定された前記第１の送信時間に、前記ログデータを前記基地局に送信するログデータ送信手段を備えていることを特徴とするログデータ収集システム。
【請求項３】
前記基地局が、前記所要の移動局から受信したログデータに誤りがあった場合の再送要求の回数を、前記複数の移動局の稼働情報に基づいて設定する再送要求回数設定手段を備えていることを特徴とする請求項１又は請求項２記載のログデータ収集システム。
【請求項４】
前記基地局が、前記フレーム構成の中に、前記所要の移動局のログデータ及び前記各移動局の位置情報以外の特定情報を送信するためのタイムスロットを少なくとも１つ以上割り当てる特定情報用スロット設定手段を備えていることを特徴とする請求項１又は請求項２記載のログデータ収集システム。
【請求項５】
前記稼働情報が、前記複数の移動局の各種動態を考慮して求められた稼働台数情報であることを特徴とする請求項１〜４のいずれかの項に記載のログデータ収集システム。
【請求項６】
前記スロット数割当設定手段が、
前記ログデータの収集中における前記複数の移動局の稼働情報の変化に基づいて、前記各移動局の位置情報の収集に割り当てるタイムスロット数と、前記所要の移動局のログデータの収集に割り当てるタイムスロット数との割り当てを変更するものであることを特徴とする請求項１記載のログデータ収集システム。
【請求項７】
前記送信時間設定手段が、
前記ログデータの収集中における前記複数の移動局の稼働情報の変化に基づいて、前記第１の送信時間と、前記第２の送信時間との割り当てを変更するものであることを特徴とする請求項２記載のログデータ収集システム。
【請求項８】
前記基地局が、前記複数の移動局の稼働情報が所定の条件となった場合に、前記ログデータの収集を開始するログデータ収集開始手段を備えていることを特徴とする請求項１〜７のいずれかの項に記載のログデータ収集システム。
【請求項９】
前記基地局が、ログデータ収集日時設定情報に基づいて、前記ログデータの収集を開始するログデータ収集開始手段を備えていることを特徴とする請求項１〜７のいずれかの項に記載のログデータ収集システム。
【請求項１０】
前記基地局が、前記ログデータの収集を開始する際のログデータ収集対象移動局の動態条件を設定するための収集開始条件設定手段と、
前記ログデータ収集対象移動局が、前記収集開始条件設定手段により設定された動態条件になった場合に、前記ログデータの収集を開始するログデータ収集開始手段とを備えていることを特徴とする請求項１〜７のいずれかの項に記載のログデータ収集システム。
【請求項１１】
前記基地局が、前記所要の移動局の動態状況が所定の条件を満たさなくなった場合に、前記ログデータの収集を中断するログデータ収集中断手段を備えていることを特徴とする請求項８〜１０のいずれかの項に記載のログデータ収集システム。
【発明の詳細な説明】
【技術分野】
【０００１】
本発明はログデータ収集システム、より詳細には複数の移動局の位置情報が基地局で収集される位置情報収集システムを利用して、前記基地局が、複数の移動局のうちの所要の移動局に蓄積されたログデータを収集するログデータ収集システムに関する。
【背景技術】
【０００２】
従来より、基地局と複数の移動局との間で無線通信を行い、基地局側で各移動局の位置情報（例えば、ＧＰＳ受信機からの位置情報やタクシー等のＡＶＭシステムにおける空車、実車、回送などの運行状況を示す情報）を収集する位置情報収集システムが知られている（例えば、下記の特許文献１参照）。
【０００３】
このような位置情報収集システムでは、基地局に設置された無線機やデータ処理端末、或は移動局に設置された無線機、データ処理端末、又はナビゲーション装置などが故障したり、ソフトの不具合等が発生することがある。また、顧客の単なる操作ミスにも関わらず、顧客側から不具合が発生したとしてメーカー側に申告される場合もある。
【０００４】
この様な不具合が発生した場合に、これら原因の解析を行うため、移動局端末のメモリには、端末間の通信履歴内容、端末のボタン操作履歴、及びリセット発生等の発生時刻などを含むログデータが蓄積されるようになっている。
【０００５】
従来、システムを提供しているメーカー側が、不具合の申告がなされた移動局のログデータの解析を行おうとした場合、まず、不具合の申告があった移動局のログデータを収集する必要があった。従来は、メーカー側のサービスマンが、脱着可能なメモリーカード等の記録媒体を持参して現場（移動局の場所）まで出向き、移動局の端末のメモリに記録されたログデータを持参した記録媒体にコピーして、メーカー側に持ち帰りログデータの解析を行っていたため、不具合が発生してからログデータを収集して解析を開始するまでに時間を要し、また作業性が悪く、顧客の修理要求等にも迅速に応えることが難しいという問題があった。
【０００６】
このような問題を改善する方法としては、不具合の申告がなされた移動局のログデータを無線で収集し、基地局サーバ等に保存する方法が考えられる。一旦ログデータをサーバに保存すれば、電話回線等を用いて遠隔地からログデータを取得することが可能となるため、システムを提供しているメーカー側で迅速にログデータの解析を行うことが可能となる。
【０００７】
しかしながら、上記した位置情報収集システムを利用して、移動局のログデータを無線通信により収集しようとした場合、ある移動局のログデータを収集している間であっても、各移動局の位置・動態情報の収集や移動局の配車指示といった本来の業務を中断することはできない。特に、タクシーのＡＶＭシステム等の位置情報収集システムは、２４時間連続稼働となっているため、業務停止時間に不具合申告がなされた移動局のログデータを収集するといったことが難しいため、通常の業務を運行しながらログデータを収集する必要がある。
【０００８】
例えば、基地局と各移動局とが、例えば、ＴＤＭＡ（時分割多重）方式で信号の送受信を行う場合に、一つのフレーム内の特定のタイムスロットが、ログデータの収集に割り当てられた場合、移動局の稼働台数が多くなると、上り信号のトラフィックが増加してしまうため、ログデータ収集用のタイムスロットの影響により、基地局側で各移動局の位置情報等が収集できなくなるなど、通常業務に支障をきたす虞があるといった問題があった。
【特許文献１】特許第２８０６３３９号公報
【発明の開示】
【課題を解決するための手段及びその効果】
【０００９】
本発明は上記課題に鑑みなされたものであって、位置情報収集システムを利用して、各移動局の位置情報の収集等の通常業務に支障をきたすことなく、これら通常業務に必要な情報の収集と平行して、不具合等の申告がなされた移動局のログデータを効率よく収集することのできるログデータ収集システムを提供することを目的としている。
【００１０】
上記目的を達成するために本発明に係るログデータ収集システム（１）は、基地局と複数の移動局との間で無線通信を行って、前記基地局でこれら複数の移動局の位置情報及び動態情報を収集する位置情報収集システムを利用して、前記基地局で前記複数の移動局のうちの所要の移動局に蓄積されたログデータを収集するログデータ収集システムであって、前記基地局が、時分割された複数のタイムスロットからなる単位フレーム構成における前記各移動局の位置情報及び動態情報の収集に割り当てるタイムスロット数と、前記所要の移動局のログデータの収集に割り当てるタイムスロット数との割り当てを、前記複数の移動局の稼働情報に基づいて設定するスロット数割当設定手段を備え、前記移動局が、前記基地局からログデータ送信要求を受けた場合、前記スロット数割当設定手段により割り当てられたログデータ用のタイムスロットのタイミングで、前記ログデータを前記基地局に送信するログデータ送信手段を備えていることを特徴としている。
【００１１】
上記ログデータ収集システム（１）によれば、前記基地局では、前記複数の移動局の稼
働情報に基づいて、前記単位フレーム構成における前記各移動局の位置情報及び動態情報の収集に割り当てるタイムスロット数と、前記所要の移動局のログデータの収集に割り当てるタイムスロット数との割り当てが設定されるので、例えば、前記複数の移動局のうちの稼働台数（すなわち、開局している移動局台数）に応じて、すなわち、移動局の稼働台数が多い場合には、前記ログデータ用のタイムスロット数の割り当て比率を減らす一方、移動局の稼働台数が少ない場合には、前記ログデータ用のタイムスロット数の割り当て比率を増やすことができ、前記各移動局の稼働状況に合わせて、各移動局の位置情報及び動態情報の収集に必要なタイムスロット数を確保することができ、通常業務に支障をきたすことなく、平行して前記所要の移動局のログデータも収集することができる。
【００１２】
また本発明に係るログデータ収集システム（２）は、基地局と複数の移動局との間で無線通信を行って、前記基地局でこれら複数の移動局の位置情報及び動態情報を収集する位置情報収集システムを利用して、前記基地局で前記複数の移動局のうちの所要の移動局に蓄積されたログデータを収集するログデータ収集システムであって、前記基地局が、前記所要の移動局のログデータを送信するための時分割されたタイムスロットを含み、前記各移動局の位置情報及び動態情報を送信するための時分割されたタイムスロットを含まないフレーム構成で送信を行う第１の送信時間と、前記各移動局の位置情報及び動態情報を送信するための時分割されたタイムスロットを含み、前記所要の移動局のログデータを送信するための時分割されたタイムスロットを含まないフレーム構成で送信を行う第２の送信時間とを繰り返すフレーム構成における、前記第1の送信時間と前記第２の送信時間との割り当てを、前記複数の移動局の稼働情報に基づいて設定する送信時間設定手段を備え、前記移動局が、前記基地局からログデータ送信要求を受けた場合、前記送信時間設定手段により設定された前記第１の送信時間に、前記ログデータを前記基地局に送信するログデータ送信手段を備えていることを特徴としている。
【００１３】
上記ログデータ収集システム（２）によれば、前記基地局では、前記複数の移動局の稼働情報に基づいて、前記第１の送信時間と前記第２の送信時間とを繰り返すフレーム構成における前記第１の送信時間と前記第２の送信時間との割り当てが設定されるので、例えば、前記複数の移動局のうちの稼働台数に応じて、すなわち、移動局の稼働台数が多い場合には、前記第１の送信時間の割り当て比率を減らす一方、稼働台数が少ない場合には、前記第１の送信時間の割り当て比率を増やすことができ、前記各移動局の稼働状況に合わせて、各移動局の位置情報及び動態情報の収集に必要な送信時間（第２の送信時間）を確保することができ、通常業務に支障をきたすことなく、平行して前記所要の移動局のログデータも収集することができる。
【００１４】
また本発明に係るログデータ収集システム（３）は、上記ログデータ収集システム（１）又は（２）において、前記基地局が、前記所要の移動局から受信したログデータに誤りがあった場合の再送要求の回数を、前記複数の移動局の稼働情報に基づいて設定する再送要求回数設定手段を備えていることを特徴としている。
【００１５】
上記ログデータ収集システム（３）によれば、前記基地局では、前記所要の移動局から受信したログデータに誤りがあった場合、受信したログデータの再送要求が行われるようになっているが、前記所要の移動局の電波状況が悪い時に、再送要求処理が繰り返し実行されると、前記ログデータの収集に必要以上の時間を要すこととなり、この間、前記各移動局の位置情報の収集が規制された状態が継続してしまう。特に、移動局の稼働台数が多い状況では、前記各移動局の位置情報収集のための上り信号のトラフィック量が多くなるため、通常業務に支障をきたす虞が生じる。このような状況を避けるために、前記複数の移動局の稼働情報に基づいて再送要求の回数を設定する、すなわち上限値を設ける（例えば、稼働台数が多くなるほど、再送要求の回数を少なくする）ことで、前記ログデータに誤りがあった場合に、前記ログデータの再送要求が上限値を越えると中断されるため、前記ログデータの収集が必要以上に長期化するのを防ぐことができ、通常業務に支障をきたすような状況の発生を回避することができる。
【００１６】
また本発明に係るログデータ収集システム（４）は、上記ログデータ収集システム（１）又は（２）において、前記基地局が、前記フレーム構成の中に、前記所要の移動局のログデータ及び前記各移動局の位置情報以外の特定情報を送信するためのタイムスロットを少なくとも１つ以上割り当てる特定情報用スロット設定手段を備えていることを特徴としている。
【００１７】
上記ログデータ収集システム（４）によれば、前記フレーム構成の中に、前記所要の移動局のログデータ及び前記各移動局の位置情報以外の特定情報を送信するためのタイムスロットが少なくとも１つ以上割り当てられるので、前記所要の移動局のログデータの取得中であっても、例えば、前記基地局からの配車指示に対する応答などの重要な特定情報を送信するためのタイムスロットを確保することができ、本来の業務に支障を与えることなく、平行して前記ログデータを収集することができる。
【００１８】
また本発明に係るログデータ収集システム（５）は、上記ログデータ収集システム（１）〜（４）のいずれかにおいて、前記稼働情報が、前記複数の移動局の各種動態を考慮して求められた稼働台数情報であることを特徴としている。
【００１９】
上記ログデータ収集システム（５）によれば、例えば、タクシー等の配車システムに採用された場合、前記基地局では、顧客が指定した場所に最も早く到達できる移動局を選択して配車する必要があるため、特に空車状態の移動局の位置はより正確に把握しておかなければならない。このため、移動局の位置情報の送信間隔については、例えば空車の場合は２００ｍ間隔、実車の場合は４００ｍ間隔という様に、空車状態の移動局の位置情報が高頻度で収集される。また、待機場所で顧客待ちをしている移動局は、同じ位置で長時間停車している場合が多いため、位置情報を送信する回数は少なくてもよい。このように移動局の稼働台数（開局台数）が同じであっても、各移動局の動態に応じて、上り信号のトラフィック量が変化する。そこで、前記稼働情報として、前記複数の移動局の各種動態（空車、実車、待機等）を考慮して求められた稼働台数情報を用いることにより、実際の上り信号のトラフィック量との相関性が得られるため、ログデータ用のタイムスロット数の割り当て比率や、前記第１の送信時間の割り当て比率等を、実際の上り信号のトラフィック量に対応させた形で設定することができ、一層効率の良いログデータの収集を行うことが可能になる。
【００２０】
また本発明に係るログデータ収集システム（６）は、上記ログデータ収集システム（１）において、前記スロット数割当設定手段が、前記ログデータの収集中における前記複数の移動局の稼働情報の変化に基づいて、前記各移動局の位置情報の収集に割り当てるタイムスロット数と、前記所要の移動局のログデータの収集に割り当てるタイムスロット数との割り当てを変更するものであることを特徴としている。
【００２１】
上記ログデータ収集システム（６）によれば、前記ログデータの収集中においても変化している前記複数の移動局の稼働情報に応じて、前記各移動局の位置情報の収集に割り当てるタイムスロット数と、前記所要の移動局のログデータの収集に割り当てるタイムスロット数との割り当てが変更されるので、前記ログデータの収集中に前記複数の移動局の稼働情報に大きな変化が生じた場合でも、ログデータ用のタイムスロット数と、位置情報用のタイムスロット数との割り当てが適切となるように変更され、通常業務に支障をきたすことなくログデータの収集が行える信頼性の高いシステムとすることができる。
【００２２】
また本発明に係るログデータ収集システム（７）は、上記ログデータ収集システム（２）において、前記送信時間設定手段が、前記ログデータの収集中における前記複数の移動局の稼働情報の変化に基づいて、前記第１の送信時間と、前記第２の送信時間との割り当てを変更するものであることを特徴としている。
【００２３】
上記ログデータ収集システム（７）によれば、前記ログデータの収集中における前記複数の移動局の稼働情報の変化に基づいて、前記第１の送信時間と、前記第２の送信時間との割り当てが変更されるので、前記ログデータの取得中に前記複数の移動局の稼働情報に大きな変化が生じた場合でも、前記第１の送信時間と、前記第２の送信時間との割り当てが適切となるように変更され、通常業務に支障をきたすことなくログデータの収集が行える信頼性の高いシステムとすることができる。
【００２４】
また本発明に係るログデータ収集システム（８）は、上記ログデータ収集システム（１）〜（７）のいずれかにおいて、前記基地局が、前記複数の移動局の稼働情報が所定の条件となった場合に、前記ログデータの収集を開始するログデータ収集開始手段を備えていることを特徴としている。
【００２５】
上記ログデータ収集システム（８）によれば、前記複数の移動局の稼働情報が所定の条件となった場合、例えば、移動局の稼働台数が閾値以下となった場合に、前記ログデータの収集が開始されるので、上り信号のトラフィック量が少ない状況下で、前記所要の移動局のログデータの収集を開始することができ、効率の良いログデータの収集が可能となる。
【００２６】
また本発明に係るログデータ収集システム（９）は、上記ログデータ収集システム（１）〜（７）のいずれかにおいて、前記基地局が、ログデータ収集日時設定情報に基づいて、前記ログデータの収集を開始するログデータ収集開始手段を備えていることを特徴としている。
【００２７】
上記ログデータ収集システム（９）によれば、前記基地局側で設定された前記ログデータ収集日時設定情報に基づいて、前記ログデータの収集が開始されるので、例えば、移動局の稼働台数が少なくなる日時（深夜から早朝にかけてのある時間、休日や祝日のある時間など）をログデータ収集日時として予め設定しておくことにより、上り信号のトラフィック量が少ない状況下で、前記所要の移動局のログデータを収集することができ、効率の良いログデータの収集が可能となる。
【００２８】
また本発明に係るログデータ収集システム（１０）は、上記ログデータ収集システム（１）〜（７）のいずれかにおいて、前記基地局が、前記ログデータの収集を開始する際のログデータ収集対象移動局の動態条件を設定するための収集開始条件設定手段と、前記ログデータ収集対象移動局が、前記収集開始条件設定手段により設定された動態条件になった場合に、前記ログデータの収集を開始するログデータ収集開始手段とを備えていることを特徴としている。
【００２９】
前記ログデータの収集は、前記ログデータ収集対象移動局が、電波状況の良い状態が継続すると見込まれる場合に行うのが望ましい。例えば、タクシー等の配車システムに採用された場合、駅前等の待機場所において顧客待ちのための並んでいる「待機中」や、食事等の「休憩中」であれば、停車状態が続くと判断できるので、電波状況の変化が少ない状態をある時間継続することができる。
【００３０】
上記ログデータ収集システム（１０）によれば、前記ログデータ収集対象移動局が、前記収集開始条件設定手段により設定された動態条件になった場合、例えば、前記動態条件として、移動局側の電波状況が良く、かつ移動局が停止しているという条件が設定された場合、移動局（例えばタクシー）が、電波状況のよい場所での「待機中」や「食事中」の場合に、前記ログデータの収集が開始されるので、電波状況が良く、その変化が少ない状態が継続している時に、ログデータの収集を誤りなく正確に行うことができ、収集効率をより高めることができ、収集時間を短くすることができる。なお、前記ログデータ収集対象移動局の動態条件としては、前記基地局から所定範囲内の場所で待機状態であるという条件、又は待機状態であり、かつ待機順位が閾値より大きいという条件を設定するのが好ましい。
【００３１】
また本発明に係るログデータ収集システム（１１）は、上記ログデータ収集システム（８）〜（１０）のいずれかにおいて、前記基地局が、前記所要の移動局の動態状況が所定の条件を満たさなくなった場合に、前記ログデータの収集を中断するログデータ収集中断手段を備えていることを特徴としている。
【００３２】
上記ログデータ収集システム（１１）によれば、前記所要の移動局の動態状況が所定の条件を満たさなくなった場合に、前記ログデータの収集が中断されるので、前記各移動局の位置情報の収集などの本来の業務に与える影響をより小さくすることができる。      
【発明を実施するための最良の形態】
【００３３】
以下、本発明に係るログデータ収集システムの実施の形態を図面に基づいて説明する。図１は、実施の形態（１）に係るログデータ収集システムの概略構成を示した図である。
【００３４】
図中１０は基地局、図中Ｍ１〜Ｍｎは移動局を示しており、本システムは、基地局１０と各移動局Ｍ１〜Ｍｎとの間で無線通信が行われ、基地局１０側で各移動局Ｍ１〜Ｍｎの位置・動態情報が収集される位置情報収集システム（例えば、タクシー等のＡＶＭシステム）を利用して構成されている。また、基地局１０は、ネットワーク４０を介して、サーバ５０とシステム提供側のパーソナルコンピュータ（以下、ＰＣと記す）６０とに接続されている。
【００３５】
図２は、図１に示した移動局Ｍ１（Ｍ２〜Ｍｎ）と、基地局１０との内部構成を概略的に示したブロック図である。移動局Ｍ１は、アンテナ２１ａを介して基地局１０との間で無線通信を行うディジタル方式の無線機２１と、自移動局の運行上のデータ等が記憶されるメモリ２２と、アンテナ２３ａを介して衛星からの電波を受信して自車位置を検出するＧＰＳ受信機２３と、受信情報などの各種情報を表示する表示部２４と、各種入力ボタンを備えた操作部２５と、各部に電源を供給するための電源部２６と、料金メータ２７と、ナビゲーション装置等が接続される外部Ｉ／Ｆ２８と、これら各部を制御する制御部２９とを含んで構成されている。
【００３６】
メモリ２２には、移動局Ｍ１の操作者（運転者）が、操作部２５又は料金メータ２７を操作して行う、空車、実車、待機、休憩、閉局等の入力情報、リセット発生時の時刻情報、ＧＰＳ受信機２３で検出された自車位置情報、及び基地局１０との通信情報などを含むログデータが、逐次記憶されるようになっている。また、無線機２１には、図示しないマイクが接続されている。
【００３７】
基地局１０は、アンテナ１１ａを介して各移動局Ｍ１〜Ｍｎとの間で無線通信を行うためのディジタル方式の無線機１１と、音声を入力するためのマイク１２と、運行管理に関わる各種データが記憶されるメモリ１３と、各移動局Ｍ１〜Ｍｎの運行情報などを表示する表示部１４と、各移動局Ｍ１〜Ｍｎに対して運行管理上の操作入力を行うためのキーボード等の操作部１５と、ネットワーク４０を介してサーバ５０やシステム提供側のＰＣ６０と接続するためのモデム１６と、これら各部を制御する制御部１７とを含んで構成されている。なお、本実施の形態における基地局１０は、制御局や指令局の機能を含むものとして構成されている。
【００３８】
また、図１に示したサーバ５０には、基地局１０が、不具合が発生した旨の通知を受けた移動局から収集したログデータが蓄積されているようになっており、システム提供側のＰＣ６０では、ネットワーク４０を介してサーバ５０にアクセスし、サーバ５０に記憶された、所要の移動局のログデータを取得して、取得したログデータの解析が行えるように構成されている。
【００３９】
また、実施の形態（１）に係るログデータ収集システムを構成する基地局１０と各移動局Ｍ１〜Ｍｎとは、ＴＤＭＡ（時分割多重）方式で信号の送受信を行う構成となっている。図３に示したように、本実施の形態では、上り無線キャリアのフレーム構成として、１フレームが６つのタイムスロット（＃０〜＃５）で構成されているものとして説明する。
【００４０】
まず、基地局１０では、平常運行時（すなわち、ログデータの収集が行われていない時）は、図３（ａ）に示したように、１フレーム中の６つのタイムスロット（以下単にスロットとも記す）全てが、各移動局Ｍ１〜Ｍｎの位置・動態情報を送信するスロットとなるように設定されており、各移動局Ｍ１〜Ｍｎでは、一定距離の移動後（又は、一定時間の経過後や、料金メータの設定変更等の任意発信条件が成立した場合）に、スロット＃０〜＃５のいずれかのタイミングで、自移動局の位置・動態情報を基地局１０へ送信するようになっている。
【００４１】
一方、ログデータの収集実行時（すなわち、基地局１０から所要の移動局に対して、ログデータ送信要求信号が送信された場合）は、例えば、図３（ｂ）に示したように、基地局１０では、１フレーム中の２個（＃０、＃１）のタイムスロットが、ログデータ収集対象となった移動局Ｍａのログデータを送信するスロットに割り当てられ、１フレーム中の残りのタイムスロット（＃２〜＃５）が、各移動局Ｍ１〜Ｍｎの位置・動態情報を送信するスロットに割り当てられるようにフレーム構成が設定される。
【００４２】
ログデータの送信要求を受けた移動局では、タイムスロット＃０、＃１のタイミングで、自移動局のメモリ２２に記憶されたログデータを基地局１０に送信する一方、各移動局Ｍ１〜Ｍｎでは、一定距離の移動後に、タイムスロット＃２〜＃５のいずれかのタイミングで、自移動局の位置・動態情報を基地局１０へ送信するようになっている。
【００４３】
なお、図３（ｂ）に示したログデータを送信するタイムスロットの割り当て数は、基地局１０に登録されている全移動局Ｍ１〜Ｍｎのうちの稼働台数（すなわち、開局状態にある移動局台数）に基づいて設定されるようになっており、基地局１０のメモリ１３には、これらの設定を行うための定義情報が記憶されており、その一例（移動局台数が１００の例）を図４に示している。
【００４４】
図４に示したように、移動局の稼働台数が少ない場合は、位置・動態情報の送信頻度が低くなるので、ログデータを送信するタイムスロットの割り当て数が多く設定される一方、移動局の稼働台数が多い場合は、位置・動態情報等の送信頻度が高くなるので、ログデータを送信するタイムスロットの割り当て数が少なく設定されているので、稼働台数に応じて、通常業務（各移動局の位置・動態情報等の収集）に支障を与えないように、かつ効率良く、所要の移動局のログデータの収集を行うことが可能となっている。
【００４５】
なお、基地局１０では、各移動局Ｍ１〜Ｍｎの稼働状態を把握しているので、現在の稼働台数をカウントすることができ、ログデータの収集を開始する際の、稼働台数に基づいて、ログデータの収集に割り当てるタイムスロット数を決定することが可能となっている。そして、各移動局Ｍ１〜Ｍｎに対して、設定されたフレーム構成を通知することにより、ログデータの収集が開始されるようになっている。
【００４６】
次に実施の形態（１）に係るログデータ収集システムにおける基地局１０の制御部１７で行われるフレーム設定処理動作を図５に示したフローチャートに基づいて説明する。
【００４７】
まず、操作部１５を通じて、ログデータの収集を行う移動局情報、及びログデータ収集指示の入力があったか否かを判断し（ステップＳ１）、これらの入力がなかったと判断すれば処理を終えて、平常運行処理を継続する一方、これらの入力があったと判断すれば、ログデータの収集対象として入力された移動局に対して、ログデータ送信要求信号を送信する（ステップＳ２）。
【００４８】
次に、現在の移動局の稼働台数を読み出し（ステップＳ３）、読み出した稼働台数を、メモリ１３に記憶された定義情報（図４参照）に当てはめて、各移動局の位置・動態情報の収集に割り当てるタイムスロット数と、所要の移動局のログデータの収集に割り当てるタイムスロット数とを設定し（ステップＳ４）、設定されたフレーム構成を各移動局Ｍ１〜Ｍｎに通知する処理を行い（ステップＳ５）、その後処理を終える。
【００４９】
なお、上記ステップＳ１では、操作部１５を通じて、ログデータの収集を行う移動局情報、及びログデータ収集指示との入力があったか否かを判断するようになっているが、別の実施の形態では、システム提供側のＰＣ６０からネットワーク４０を介して、ログデータの収集を行う移動局を特定する信号、及びログデータ収集指示信号とを受信したか否かを判断し、これら信号を受信した場合、ステップＳ２以降の処理に進む構成とすることもできる。
【００５０】
次に実施の形態（１）に係るログデータ収集システムにおける各移動局Ｍ１〜Ｍｎの制御部２９で行われる送信処理動作を図６−１、図６−２に示したフローチャートに基づいて説明する。
【００５１】
まず、基地局１０から上り無線キャリアのフレーム構成の変更通知を受信したか否かを判断し（ステップＳ１１）、該変更通知を受信していないと判断すれば処理を終え、平常運行処理を継続する一方、前記変更通知を受信したと判断すれば、基地局１０からログデータ送信要求信号を受信したか否かを判断する（ステップＳ１２）。
【００５２】
ステップＳ１２において、ログデータ送信要求信号を受信したと判断すれば、メモリ２２からログデータを読み出し（ステップＳ１３）、上り無線キャリアのフレーム構成で割り当てられたログデータの送信タイミング（例えば、図３（ｂ）におけるタイムスロット＃０、＃１のタイミング）になったか否かを判断し（ステップＳ１４）、ログデータの送信タイミングになったと判断すれば、読み出したログデータを１スロット分のデータ量に分割し、分割された１スロット分のログデータを基地局１０に送信する（ステップＳ１５）。
【００５３】
その後、基地局１０からログデータの再送要求信号を受信したか否かを判断し（ステップＳ１６）、ログデータの再送要求信号を受信したと判断すれば、再送要求のあったログデータの再送処理を行い（ステップＳ１７）、ステップＳ１６に戻る。一方、ステップＳ１６において、ログデータの再送要求信号を受信していないと判断すれば、基地局１０からログデータの送信を一時中断する信号（再送処理が規定回数に達した場合に送信される信号）を受信したか否かを判断し（ステップＳ１８）、送信中断信号を受信したと判断すれば、ログデータの送信を一時中断する処理、すなわち、平常運行時のフレーム構成で位置・動態情報の送信処理を継続する（ステップＳ１９）。その後、ログデータの送信を再開する信号を受信したか否かを判断し（ステップＳ２０）、再開信号を受信したと判断すればステップＳ１４に戻り、ログデータ収集時のフレーム構成に変更してログデータの送信処理を繰り返す。
【００５４】
一方、ステップＳ１８において、送信中断信号を受信していないと判断すれば、基地局１０からログデータの収集が完了したことを通知する信号（平常運行時のフレーム構成に戻す通知など）を受信したか否かを判断し（ステップＳ２１）、ログデータの収集完了信号を受信していないと判断すればステップＳ１４に戻り処理を繰り返す一方、ログデータの収集完了信号を受信したと判断すれば、その後ログデータの送信処理を終え、平常運行処理に戻る。
【００５５】
また一方、ステップＳ１２において、ログデータ送信要求信号を受信していない（すなわち、ログデータ収集対象移動局ではない）と判断すれば、図６−２に示したステップＳ３１に進み、ステップＳ３１では、位置・動態情報の任意発信条件（例えば、所定距離走行、所定時間経過等）が成立したか否かを判断し、任意発信条件が成立したと判断すれば、上り無線キャリアのフレーム構成で割り当てられた位置・動態情報の送信タイミング（例えば、図３（ｂ）におけるタイムスロット＃２〜＃５のいずれかのタイミング）になったか否かを判断し（ステップＳ３２）、位置・動態情報の送信タイミングになったと判断すれば、自移動局の位置・動態情報を基地局１０に送信する（ステップＳ３３）。
【００５６】
その後、基地局１０から位置・動態情報の再送要求信号を受信したか否かを判断し（ステップＳ３４）、再送要求信号を受信したと判断すれば、再送要求のあった位置・動態情報の再送処理を行い（ステップＳ３５）、ステップＳ３４に戻る。一方、ステップＳ３４において、位置・動態情報の再送要求信号を受信していないと判断すれば、平常運行時のフレーム構成（図３（ａ）参照）に戻す変更通知を受信したか否かを判断し（ステップＳ３６）、該変更通知を受信していないと判断すれば、ステップＳ３１に戻り処理を繰り返す一方、前記変更通知を受信したと判断すれば処理を終え、平常運行処理に戻る。
【００５７】
次に実施の形態（１）に係るログデータ収集システムにおける基地局１０の制御部１７で行われるログデータ受信処理動作を図７に示したフローチャートに基づいて説明する。なお、本処理動作は、基地局１０から各移動局Ｍ１〜Ｍｎにログデータ収集時のフレーム構成の通知が行われた後に実行される。
【００５８】
まず、ログデータの再送要求カウンタＣをクリアし（ステップＳ４１）、その後、対象移動局からログデータ（１スロット分のデータ）を受信したか否かを判断し（ステップＳ４２）、ログデータを受信したと判断すれば、受信したログデータに誤りがあるか否かを判断し（ステップＳ４３）、誤りがあると判断すれば、再送要求カウンタＣに１を加算し（ステップＳ４４）、現在の移動局の稼働台数に基づいて、再送要求回数の上限値ｎMAX（同一スロットに対する上限値）を設定する（ステップＳ４５）。なお、メモリ２２には、図８に示したような、移動局の稼働台数と、再送要求回数の上限値との関係を示した定義情報が記憶されており、この定義情報に現在の移動局の稼働台数を当てはめて、再送要求回数の上限値ｎMAXが設定されるようになっている。
【００５９】
次に、再送要求カウンタＣが再送要求回数の上限値ｎMAX以上であるか否かを判断し（ステップＳ４６）、再送要求カウンタＣが再送要求回数の上限値ｎMAX以上ではないと判断すれば、ログデータの再送要求を行い（ステップＳ４７）、その後ステップＳ４２に戻り処理を繰り返す。
【００６０】
一方ステップＳ４６において、再送要求カウンタＣが再送要求回数の上限値ｎMAX以上であると判断すれば、ログデータの送信を一時中断させるための送信中断信号を各移動局Ｍ１〜Ｍｎに送信し（ステップＳ４８）、中断後、所定時間が経過したか否かを判断し（ステップＳ４９）、所定時間が経過したと判断すれば、中断されたログデータの送信を再開させる再開信号を各移動局Ｍ１〜Ｍｎに送信し（ステップＳ５０）、その後ステップＳ４１に戻り処理を繰り返す。
【００６１】
また一方ステップＳ４３において、受信したログデータに誤りがないと判断すれば、ログデータをメモリ２２に保存し（ステップＳ５１）、所要のログデータの収集を完了したか否かを判断し（ステップＳ５２）、収集が完了していないと判断すればステップＳ４１に戻り処理を繰り返す。一方ステップＳ５２において、ログデータの収集を完了したと判断すれば、各移動局Ｍ１〜Ｍｎに対して平常運行時のフレーム構成（図３（ａ）参照）に戻す変更通知を行い（ステップＳ５３）、メモリ２２に記憶された収集したログデータをサーバ５０へ送信する処理を行い（ステップＳ５４）、その後処理を終える。
【００６２】
上記実施の形態（１）に係るログデータ収集システムによれば、基地局１０では、複数の移動局Ｍ１〜Ｍｎのうちの稼働台数に基づいて、各移動局の位置情報の収集に割り当てるタイムスロット数と、所要の移動局のログデータの収集に割り当てるタイムスロット数とが設定されるので、複数の移動局のうちの稼働台数に応じて、すなわち、移動局の稼働台数が多い場合には、ログデータ用のタイムスロット数の割り当て比率を減らす一方、移動局の稼働台数が少ない場合には、ログデータ用のタイムスロット数の割り当て比率を増やすことができ、各移動局の稼働状況に合わせて、各移動局の位置情報の収集に必要なタイムスロット数を確保することができ、通常業務に支障をきたすことなく、平行して所要の移動局のログデータも収集することができる。
【００６３】
また、基地局１０で収集された所要の移動局のログデータがサーバ５０に記憶されるので、システム提供側では、ネットワーク４０に接続可能なＰＣ６０を用いて、サーバ５０にアクセスすることにより、サーバ５０に蓄積された所要の移動局のログデータを回収することができ、移動局端末の不具合等の解析を効率よく行うことができる。
【００６４】
また、基地局では、所要の移動局から受信したログデータに誤りがあった場合の再送要求の回数（上限値ｎMAX）が、複数の移動局の稼働情報に基づいて設定されるので、ログデータに誤りがあった場合に、ログデータの再送要求が上限値を越えると中断されるため、ログデータの収集が必要以上に長期化するのを防ぐことができ、通常業務に支障をきたすような状況の発生を回避することができる。
【００６５】
なお、上記実施の形態（１）では、図３（ｂ）に示したフレーム構成で、ログデータを基地局１０に送信する場合について説明したが、ログデータを送信する場合であっても、配車業務等は継続して行わなければならない。すなわち、基地局１０から配車指示を受信した移動局は、応答信号を即座に送信しなければならない。したがって、別の実施の形態では、配車応答信号のような重要度の高い特定データを送信するためのタイムスロットを、ログデータ収集時のフレーム構成の中に少なくとも１つ以上設定するようにしてもよく、その場合の上り無線キャリアのフレーム構成の一例を図９に示している。この場合、フレーム内のタイムスロット＃０が、ログデータや位置・動態情報以外の特定データ（配車応答信号など）を送信するためのスロットに割り当てられている。かかるフレーム構成により、配車業務等にも支障を与えることなく、ログデータの収集を行うことができる。
【００６６】
また、上記実施の形態（１）では、基地局１０側で、ログデータ収集前の移動局の稼働台数に基づいて、上り無線キャリアのフレーム構成（ログデータ用のタイムスロット数と、位置・動態情報用のタイムスロット数）が設定され、ログデータ収集中は、ログデータ用のタイムスロット数と位置・動態情報用のタイムスロット数との設定は変更されないようになっているが、別の実施の形態では、ログデータの収集中であっても、所定時間毎に移動局の稼働台数をチェックし、その時の移動局の稼働台数に応じて、ログデータ用のタイムスロット数と、位置・動態情報用のタイムスロット数との割り当てを変更する構成としてもよい。かかる構成によれば、ログデータの収集中に移動局の稼働台数に大きな変化が生じた場合でも、ログデータ用のタイムスロット数と、位置・動態情報用のタイムスロット数との割り当てが適切となるように変更されるため、通常業務に支障を与えることのない信頼性の高いシステムとすることができる。
【００６７】
次に実施の形態（２）に係るログデータ収集システムについて説明する。但し実施の形態（２）に係るログデータ収集システムの構成については、基地局の制御部と、各移動局の制御部とを除いて図１、図２に示したシステム構成と同様であるため、異なる機能を有する基地局１０Ａの制御部１７Ａと、各移動局Ｍ１〜Ｍｎの制御部２９Ａとには異なる符号を付し、その他の構成部品の説明をここでは省略する。
【００６８】
実施の形態（１）に係るログデータ収集システムと、実施の形態（２）に係るログデータ収集システムとでは、ログデータ収集時における上り無線キャリアのフレーム構成が異なっている。
【００６９】
図１０（ａ）、（ｂ）は、実施の形態（２）に係るログデータ収集システムにおける基地局１０Ａと各移動局Ｍ１〜Ｍｎとの間の上り無線キャリアのフレーム構成の一例を示した図である。図１０（ａ）は、平常運行時（すなわち、ログデータの収集が行われていない時）におけるフレーム構成を示しており、図３（ａ）で説明した場合と同様に、１フレーム中の６つのタイムスロット全てが、各移動局Ｍ１〜Ｍｎの位置・動態情報を送信するスロットとなるように設定されており、各移動局Ｍ１〜Ｍｎでは、一定距離の移動後（又は、一定時間の経過後や、料金メータの設定変更等の任意発信条件が成立した場合）に、スロット＃０〜＃５のいずれかのタイミングで、自移動局の位置・動態情報を基地局１０Ａへ送信するようになっている。
【００７０】
一方、ログデータの収集実行時（すなわち、基地局１０Ａからログデータ収集対象移動局に対して、ログデータ送信要求信号が送信された場合）は、例えば、図１０（ｂ）に示したように、基地局１０Ａでは、所要の移動局のログデータを送信するためのタイムスロットを含み、各移動局Ｍ１〜Ｍｎの位置・動態情報を送信するためのタイムスロットを含まないフレーム構成Ａ（すなわち、各移動局Ｍ１〜Ｍｎの位置・動態情報の送信は停止される）でデータ送信を行う第１の送信時間ｔ１と、各移動局の位置・動態情報を送信するためのタイムスロットを含み、所要の移動局のログデータを送信するためのタイムスロットを含まないフレーム構成Ｂでデータ送信を行う第２の送信時間ｔ２とを繰り返すフレーム構成が設定される。
【００７１】
基地局１０Ａからログデータ送信要求信号を受信した移動局では、第１の送信時間ｔ１内の各フレームＡのタイムスロット＃０〜＃５のタイミングで、自移動局のメモリ２２に記憶されたログデータを基地局１０Ａに送信する一方、各移動局Ｍ１〜Ｍｎでは、一定距離の移動後に、第２の送信時間ｔ２内の各フレームＢのタイムスロット＃０〜＃５のタイミングで、自移動局の位置・動態情報を基地局１０Ａへ送信するようになっている。
【００７２】
なお、図１０（ｂ）に示した第１の送信時間ｔ１と第２の送信時間ｔ２との割り当て時間は、各移動局Ｍ１〜Ｍｎのうちの稼働台数（すなわち、開局状態にある移動局台数）に基づいて設定されるようになっており、基地局１０Ａのメモリ１３には、これらの設定を行うための定義情報が記憶されており、その一例（移動局台数が１００台の例）を図１１に示している。
【００７３】
図１１に示したように、移動局の稼働台数が少ない場合は、位置・動態情報等の送信頻度が低くなるので、移動局の稼働台数が多い場合よりも、ログデータを送信する第１の送信時間ｔ１が長く設定される一方、移動局の稼働台数が多い場合は、位置・動態情報等の送信頻度が高くなるので、第１の送信時間ｔ１の割り当て時間が短く設定されている。したがって、稼働台数に応じて、通常業務（各移動局の位置・動態情報の収集等）に支障を与えないように、しかも効率よく、所要の移動局のログデータの収集を行うことが可能となっている。
【００７４】
なお、基地局１０Ａでは、各移動局Ｍ１〜Ｍｎの稼働状態を把握しているので、現在の稼働台数をカウントすることができ、ログデータの収集を開始する際の稼働台数に基づいて、第１の送信時間ｔ１と第２の送信時間ｔ２との割り当てを決定することが可能となっている。そして、各移動局Ｍ１〜Ｍｎに対して設定したフレーム構成を通知することにより、ログデータの収集が開始されるようになっている。
【００７５】
次に実施の形態（２）に係るログデータ収集システムにおける基地局１０Ａの制御部１７Ａで行われるフレーム設定処理動作を図１２に示したフローチャートに基づいて説明する。
【００７６】
まず、操作部１５を通じて、ログデータの収集を行う移動局情報、及びログデータ収集指示の入力があったか否かを判断し（ステップＳ６１）、これらの入力がなかったと判断すれば処理を終えて、平常運行処理を継続する一方、これらの入力があったと判断すれば、ログデータの収集対象として入力された移動局に対して、ログデータ送信要求信号を送信する（ステップＳ６２）。
【００７７】
次に、現在の移動局の稼働台数を読み出し（ステップＳ６３）、読み出した稼働台数を、メモリ１３に記憶された定義情報（図１１参照）に当てはめて、各移動局Ｍ１〜Ｍｎの位置・動態情報の送信を停止して、指定された移動局のログデータを送信する第１の送信時間ｔ１と、各移動局Ｍ１〜Ｍｎの位置・動態情報を送信する第２の送信時間ｔ２とを設定し（ステップＳ６４）、設定されたフレーム構成を各移動局Ｍ１〜Ｍｎに通知する処理を行い（ステップＳ６５）、その後処理を終える。
【００７８】
次に実施の形態（２）に係るログデータ収集システムにおける各移動局Ｍ１〜Ｍｎの制御部２９Ａで行われる送信処理動作を図１３−１〜図１３−３に示したフローチャートに基づいて説明する。
【００７９】
まず、基地局１０Ａから上り無線キャリアのフレーム構成の変更通知を受信したか否かを判断し（ステップＳ７１）、該変更通知を受信していないと判断すれば処理を終え、平常運行処理を継続する一方、前記変更通知を受信したと判断すれば、基地局１０Ａからログデータ送信要求信号を受信したか否かを判断する（ステップＳ７２）。
【００８０】
ステップＳ７２において、ログデータ送信要求信号を受信したと判断すれば、メモリ２２からログデータを読み出し（ステップＳ７３）、基地局１０Ａから第１の送信時間ｔ１の開始信号を受信したか否かを判断する（ステップＳ７４）。ステップＳ７４において、第１の送信時間ｔ１の開始信号を受信したと判断すれば、上り無線キャリアのフレーム構成を変更し、すなわち、所要の移動局のログデータを送信するためのタイムスロットを含み、各移動局Ｍ１〜Ｍｎの位置・動態情報を送信するためのタイムスロットを含まないフレーム構成Ａに変更し（ステップＳ７５）、読み出したログデータを１スロット分のデータ量に分割し、分割されたログデータをタイムスロット＃０〜＃５の各タイミングで基地局１０Ａに順次送信する（ステップＳ７６）。
【００８１】
その後、基地局１０Ａからログデータの再送要求信号を受信したか否かを判断し（ステップＳ７７）、ログデータの再送要求信号を受信したと判断すれば、再送要求のあったログデータの再送処理を行い（ステップＳ７８）、ステップＳ７７に戻る。
【００８２】
一方、ステップＳ７７において、ログデータの再送要求信号を受信していないと判断すれば、その後、基地局１０Ａからログデータの送信を一時中断する信号（再送処理が規定回数に達した場合に送信される信号）を受信したか否かを判断し（ステップＳ７９）、送信中断信号を受信したと判断すれば、ログデータの送信を一時中断する処理、すなわち、平常運行時のフレーム構成で位置・動態情報の送信処理を継続し（ステップＳ８０）、その後、ログデータの送信を再開する信号を受信したか否かを判断し（ステップＳ８１）、再開信号を受信したと判断すれば、ステップＳ７４に戻り処理を繰り返す。
【００８３】
一方、ステップＳ７９において、送信中断信号を受信していないと判断すれば、基地局１０Ａからログデータの収集が完了したことを通知する信号（平常運行時のフレーム構成に戻す通知など）を受信したか否かを判断し（ステップＳ８２）、ログデータの収集完了信号を受信したと判断すれば、その後ログデータの送信処理を終え、平常運行処理に戻る。
【００８４】
また一方、ステップＳ７４において、第１の送信時間ｔ１の開始信号を受信していないと判断すれば、図１３−２に示したステップＳ８３に進み、ステップＳ８３では、基地局１０Ａから第２の送信時間ｔ２の開始信号を受信したか否かを判断し、第２の送信時間ｔ２の開始信号を受信していないと判断すればステップＳ７４に戻る一方、第２の送信時間ｔ２の開始信号を受信したと判断すれば、上り無線キャリアのフレーム構成を変更する、すなわち、各移動局Ｍ１〜Ｍｎの位置・動態情報を送信するためのタイムスロットを含み、所要の移動局のログデータを送信するためのタイムスロットを含まないフレーム構成Ｂに変更する（ステップＳ８４）。
【００８５】
その後、位置・動態情報の任意発信条件（例えば、所定距離走行、所定時間経過等）が成立したか否かを判断し（ステップＳ８５）、任意発信条件が成立したと判断すれば、上り無線キャリアのフレーム構成で割り当てられた位置・動態情報の送信タイミング（タイムスロット＃０〜＃５のいずれかのタイミング）になったか否かを判断し（ステップＳ８６）、位置・動態情報の送信タイミングになったと判断すれば、自移動局の位置・動態情報を基地局１０Ａに送信する（ステップＳ８７）。
【００８６】
その後、基地局１０Ａから第１の送信時間ｔ１の開始信号を受信したか否かを判断し（ステップＳ８８）、第１の送信時間ｔ１の開始信号を受信していないと判断すればステップＳ８５に戻る一方、第１の送信時間ｔ１の開始信号を受信したと判断すればステップＳ７５に戻り、処理を繰り返す。
【００８７】
また一方、ステップＳ７２において、ログデータ送信要求信号を受信していないと判断すれば、図１３−３に示したステップＳ９１に進み、ステップＳ９１では、基地局１０Ａから第１の送信時間ｔ１の開始信号を受信したか否かを判断し、第１の送信時間ｔ１の開始信号を受信していないと判断すればステップＳ９３に進む一方、第１の送信時間ｔ１の開始信号を受信したと判断すれば、上り無線キャリアのフレーム構成を変更し、すなわち、所要の移動局のログデータを送信するためのタイムスロットを含み、各移動局Ｍ１〜Ｍｎの位置・動態情報を送信するためのタイムスロットを含まないフレーム構成Ａに変更する（ステップＳ９２）。
【００８８】
その後、基地局１０Ａから第２の送信時間ｔ２の開始信号を受信したか否かを判断し（ステップＳ９３）、第２の送信時間ｔ２の開始信号を受信していないと判断すればステップＳ９１に戻る一方、第２の送信時間ｔ２の開始信号を受信したと判断すれば、上り無線キャリアのフレーム構成を変更する、すなわち、各移動局の位置・動態情報を送信するためのタイムスロットを含み、所要の移動局のログデータを送信するためのタイムスロットを含まないフレーム構成Ｂに変更する（ステップＳ９４）。
【００８９】
次に、位置・動態情報の任意発信条件（例えば、所定距離走行、所定時間経過等）が成立したか否かを判断し（ステップＳ９５）、任意発信条件が成立したと判断すれば、上り無線キャリアのフレーム構成で割り当てられた位置・動態情報の送信タイミング（タイムスロット＃０〜＃５のいずれかのタイミング）になったか否かを判断し（ステップＳ９６）、位置・動態情報の送信タイミングになったと判断すれば、自移動局の位置・動態情報を基地局１０Ａに送信する（ステップＳ９７）。
【００９０】
その後、基地局１０Ａから位置・動態情報の再送要求信号を受信したか否かを判断し（ステップＳ９８）、再送要求信号を受信したと判断すれば、再送要求のあった位置・動態情報の再送処理を行い（ステップＳ９９）、その後ステップＳ９８に戻る。
【００９１】
一方、ステップＳ９８において、位置・動態情報の再送要求信号を受信していないと判断すれば、基地局１０Ａから第１の送信時間ｔ１の開始信号を受信したか否かを判断し、（ステップＳ１００）、第１の送信時間ｔ１の開始信号を受信したと判断すればステップＳ９２に戻る一方、第１の送信時間ｔ１の開始信号を受信していないと判断すれば、平常運行時のフレーム構成（図１０（ａ）参照）に戻す変更通知を受信したか否かを判断し（ステップＳ１０１）、該変更通知を受信していないと判断すれば、ステップＳ９５に戻り処理を繰り返す一方、前記変更通知を受信したと判断すれば処理を終え、平常運行処理に戻る。
【００９２】
また実施の形態（２）に係るログデータ収集システムにおける基地局１０Ａの制御部１７Ａで行われるログデータ受信処理動作は図７に示した処理動作と略同様であるのでここではその説明を省略する。
【００９３】
上記実施の形態（２）に係るログデータ収集システムによれば、基地局１０Ａでは、複数の移動局の稼働台数に基づいて、第１の送信時間ｔ１と第２の送信時間ｔ２との割り当てが設定されるので、複数の移動局のうちの稼働台数に応じて、すなわち、稼働台数が多い場合には、第１の送信時間ｔ１の割り当て比率を減らす一方、稼働台数が少ない場合には、第１の送信時間ｔ１の割り当て比率を増やすことができ、各移動局Ｍ１〜Ｍｎの稼働状況に合わせて、各移動局Ｍ１〜Ｍｎの位置情報の収集に必要な送信時間（第２の送信時間ｔ２）を確保することができ、通常業務に支障をきたすことなく、平行して所要の移動局のログデータも収集することができる。
【００９４】
なお、上記実施の形態（２）では、図１０（ｂ）に示したフレーム構成で、ログデータを基地局１０Ａに送信する場合について説明したが、ログデータを送信する場合であっても、配車業務等は継続して行わなければならない。すなわち、基地局１０Ａから配車指示を受信した移動局は、応答信号を即座に送信しなければならない。したがって、別の実施の形態では、配車応答信号のような重要度の高いデータを送信するためのタイムスロットを、ログデータ収集時のフレーム構成の中に少なくとも１つ以上設定してもよく、その場合の上り無線キャリアのフレーム構成の一例を図１４に示している。
【００９５】
図１４では、上段が、第１の送信時間ｔ１のフレーム構成Ａを示しており、下段が、第２の送信時間ｔ２のフレーム構成Ｂを示している。この場合、第１の送信時間ｔ１及び第２の送信時間ｔ２の各フレーム内のタイムスロット＃０が、ログデータや位置・動態情報以外の特定データ（配車応答信号など）を送信するためのスロットに割り当てられている。かかるフレーム構成により、配車業務等にも支障を与えることなく、ログデータ等の収集を行うことができる。
【００９６】
また、本システムがタクシー等の配車システムとして採用された場合、顧客が指定した場所に最も早く到達できる移動局を選択して配車する必要があるため、特に空車状態の移動局の位置はより正確に把握しておかなければならない。このため、位置情報の送信間隔については、例えば空車の場合は２００ｍ間隔、実車の場合は、４００ｍ間隔というように条件を変化させることができる。また、待機場所で顧客待ちをしている車両は、長時間停車している場合が多いため、位置情報が送信される回数は少ない。
【００９７】
このように、同じ稼働台数であっても、待機中や実車中の車両が多い場合は、位置情報の送信が少なくなる。そこで、別の実施の形態では、移動局の稼働台数（開局状態の移動局台数）で、ログデータ用のタイムスロット数の割り当てや、第１の送信時間ｔ１及び第２の送信時間ｔ２の割り当てを判断するのではなく、各移動局の動態についてもさらに考慮して、稼働台数情報を算出するようにしてもよい。
【００９８】
例えば、空車１．０、実車０．５、待機０．１という係数を設定した場合、稼働台数＝空車台数×１．０＋実車台数×０．５＋待機台数×０．１という計算式で算出される。係る計算式を用いた稼働台数の値を用いれば、実際の上り信号のトラフィック量との相関性が得られるため、ログデータ用のタイムスロット数の割り当て比率や、第１の送信時間ｔ１の割り当て比率等を、実際の上り信号のトラフィック量に対応させた形で設定することができ、一層効率の良いログデータの収集を行うことが可能になる。
【００９９】
また、上記実施の形態（２）では、基地局１０Ａ側で、ログデータ収集前の移動局の稼働台数に基づいて、上り無線キャリアのフレーム構成（第１の送信時間ｔ１と第２の送信時間ｔ２）が設定され、ログデータ収集中は、第１の送信時間ｔ１と第２の送信時間ｔ２との設定は変更されないようになっているが、別の実施の形態では、ログデータの収集中であっても、所定時間毎に移動局の稼働台数をチェックし、その時の移動局の稼働台数に応じて、第１の送信時間ｔ１と第２の送信時間ｔ２との割り当てを変更する構成としてもよい。かかる構成によれば、ログデータの取得中に移動局の稼働台数に大きな変化が生じた場合でも、第１の送信時間ｔ１と第２の送信時間ｔ２との割り当てが適切となるように変更されるため、通常業務に支障を与えることのない信頼性の高いシステムとすることができる。
【０１００】
また、上記実施の形態（１）、（２）では、基地局１０（１０Ａ）側で、操作部１５を通じて、移動局情報及びログデータ収集指示の入力があった場合に、指定された移動局に対して、ログデータ送信要求信号を送信し、ログデータの収集を開始するようになっている（図５、図１２参照）が、別の実施の形態では、移動局Ｍ１〜Ｍｎの稼働情報が所定の条件となった場合、例えば、移動局の稼働台数が所定台数以下となった場合に、指定された移動局にログデータ送信要求信号を送信して、ログデータの収集を開始する構成してもよい。かかる構成によれば、上り信号のトラフィック量が少ない状況下で、指定された移動局のログデータを収集を開始することができるシステムとすることができる。
【０１０１】
さらに別の実施の形態では、基地局側で予めログデータの収集日時を設定しておき、設定されたログデータの収集日時となった場合に、指定された移動局にログデータ送信要求信号を送信して、ログデータの収集を開始してもよく、かかる構成によれば、例えば、移動局の稼働台数が少なくなる日時（深夜から早朝にかけてのある時間、休日や祝日のある時間など）をログデータ収集日時として設定しておくことにより、上り信号のトラフィック量が少ない状況下で、指定された移動局のログデータの収集を開始することができ、通常業務に支障を与える危険性が少なく、かつログデータを効率よく収集することができる。
【０１０２】
また、さらに別の実施の形態では、基地局側で、ログデータの収集を開始する際のログデータ収集対象移動局の動態条件を設定メニュー画面を通じて予め設定しておき、ログデータ収集対象移動局が、前記設定された動態条件になった場合に、指定された移動局（ログデータ収集対象移動局）にログデータ送信要求信号を送信して、ログデータの収集を開始する構成としてもよい。
【０１０３】
かかる構成によれば、例えば、前記動態条件として、移動局側の電波状況が良く、かつ移動局が停止しているという条件（基地局から所定範囲内の場所で待機状態にである条件、待機状態かつ待機順位が閾値より大きいという条件など）が設定された場合、移動局（例えばタクシー）が、電波状況のよい場所での「待機中」や「食事中」の場合に、ログデータの収集が開始されるので、電波状況が良く、その変化が少ない状態が継続している時に、ログデータの収集を誤りなく正確に行うことができ、収集効率をより高めることができる。
【０１０４】
また、上記実施の形態（１）、（２）では、基地局側で、ログデータの再送要求回数が、上限値ｎMAXを越えた場合に、ログデータの送信を中断するようになっているが、別の実施の形態では、移動局の稼働台数が閾値未満の時間だけログデータの収集を行う（閾値以上の場合はログデータの送信を中断する）ようにしたり、基地局側でログデータの取得時間帯を予め設定しておき、その時間帯だけログデータの収集を行うようにしたり、又は基地局側で予め設定されたログデータ収集対象移動局の動態条件が継続している時間だけログデータの収集を行う（前記動態条件が変化すると収集を中断する）構成とすることもできる。かかる構成によれば、各移動局の位置・動態情報の収集など本来の業務に与える影響をより小さくすることができる。
【図面の簡単な説明】
【０１０５】
【図１】本発明の実施の形態（１）に係るログデータ収集システムの概略構成を示した図である。
【図２】実施の形態（１）に係るログデータ収集システムを構成する移動局と、基地局との内部構成を概略的に示したブロック図である。
【図３】実施の形態（１）に係るログデータ収集システムを構成する基地局と各移動局との間における、上り無線キャリアのフレーム構成の一例を示した図であり、（ａ）は平常運行時、（ｂ）は、ログデータ収集時のフレーム構成である。
【図４】移動局の稼働台数と、１フレーム中におけるログデータを収集するタイムスロットの割り当て数との設定情報の一例を示した図である。
【図５】実施の形態（１）に係るログデータ収集システムにおける基地局の制御部で行われるフレーム設定処理動作を示したフローチャートである。
【図６−１】実施の形態（１）に係るログデータ収集システムにおける各移動局の制御部で行われる送信処理動作を示したフローチャートである。
【図６−２】実施の形態（１）に係るログデータ収集システムにおける各移動局の制御部で行われる送信処理動作を示したフローチャートである。
【図７】実施の形態（１）に係るログデータ収集システムにおける基地局の制御部で行われるログデータ受信処理動作を示したフローチャートである。
【図８】移動局の稼働台数と、再送要求回数の上限値との設定情報の一例を示した図である。
【図９】別の実施の形態に係るログデータ収集システムを構成する基地局と各移動局との間における、ログデータ収集時の上り無線キャリアのフレーム構成の一例を示した図である。
【図１０】実施の形態（２）に係るログデータ収集システムにおける基地局と移動局との間の上り無線キャリアのフレーム構成の一例を示した図であり、（ａ）は、平常運行時、（ｂ）は、ログデータ収集時のフレーム構成である。
【図１１】移動局の稼働台数と、第１の送信時間ｔ１と第２の送信時間ｔ２との割り当て時間との設定情報の一例を示した図である。
【図１２】実施の形態（２）に係るログデータ収集システムにおける基地局の制御部で行われるフレーム設定処理動作を示したフローチャートである。
【図１３−１】実施の形態（２）に係るログデータ収集システムにおける各移動局の制御部で行われる送信処理動作を示したフローチャートである。
【図１３−２】実施の形態（２）に係るログデータ収集システムにおける各移動局の制御部で行われる送信処理動作を示したフローチャートである。
【図１３−３】実施の形態（２）に係るログデータ収集システムにおける各移動局の制御部で行われる送信処理動作を示したフローチャートである。
【図１４】別の実施の形態に係るログデータ収集システムを構成する基地局と各移動局との間における、ログデータ収集時の上り無線キャリアのフレーム構成の一例を示した図である。
【符号の説明】
【０１０６】
１０、１０Ａ  基地局
Ｍ１〜Ｍｎ  移動局
４０  ネットワーク  
５０  サーバ
６０  システム提供側ＰＣ
【図１】
0004454599.tif 000002
【図２】
0004454599.tif 000003
【図３】
0004454599.tif 000004
【図４】
0004454599.tif 000005
【図５】
0004454599.tif 000006
【図６−１】
0004454599.tif 000007
【図６−２】
0004454599.tif 000008
【図７】
0004454599.tif 000009
【図８】
0004454599.tif 000010
【図９】
0004454599.tif 000011
【図１０】
0004454599.tif 000012
【図１１】
0004454599.tif 000013
【図１２】
0004454599.tif 000014
【図１３−１】
0004454599.tif 000015
【図１３−２】
0004454599.tif 000016
【図１３−３】
0004454599.tif 000017
【図１４】
0004454599.tif 000018